(57)【要約】【課題】１回の撮影で等身大の写真を印刷可能とする。【解決手段】乳幼児をフレームとともに撮影して画像データを取得することと、画像データから、フレーム画像を含む領域を切り出して、歪みを補正した補正画像データを生成することと、補正画像データを所定の倍率に変換して印刷を実行することとを含むことによって、乳幼児の等身大写真を印刷する。ここで、補正画像データに含まれるフレーム画像の形は、撮影したフレームの形と略同一である。【選択図】図１
2016052105.tif 000002
【特許請求の範囲】
【請求項１】
乳幼児をフレームとともに撮影して画像データを取得することと、
前記画像データから、フレーム画像を含む領域を切り出して、歪みを補正した補正画像データを生成することであって、前記補正画像データに含まれるフレーム画像の形は、前記撮影したフレームの形と略同一であることと、
前記補正画像データを所定の倍率に変換して印刷を実行することによって、前記乳幼児の等身大写真を印刷することと、
を備える、画像処理方法。
【請求項２】
前記倍率は、前記補正画像データを印刷物として出力したときに、前記印刷物上に印刷されたフレームの画像が実寸となる倍率であること、を特徴とする請求項１記載の画像処理方法。
【請求項３】
前記フレーム画像を含む領域を切り出す際に、前記フレーム画像の四隅を抽出し、当該四隅に囲まれた領域を切り出すことを特徴とする請求項１又は２に記載の画像処理方法。
【請求項４】
前記補正画像データを生成する際に、前記補正画像データに含まれるフレーム画像の縦横比が、前記撮影したフレームの縦横比と略同一となるように補正されることを特徴とする請求項３記載の画像処理方法。
【請求項５】
乳幼児をフレームとともに撮影して画像データを取得するカメラデバイスと、
前記画像データから、フレーム画像を含む領域を切り出して、歪みを補正した補正画像データを生成する画像処理手段であって、前記補正画像データに含まれるフレーム画像の形は、前記撮影したフレームの形と略同一である画像処理手段と、
前記補正画像データを所定の倍率に変換して印刷を指示する出力制御手段と、
前記指示に基づいて、前記乳幼児の等身大写真を印刷する印刷装置と、
を備える、画像処理システム。
【発明の詳細な説明】
【技術分野】
【０００１】
本発明のいくつかの態様は、画像処理方法及び画像処理システムに関する。
【背景技術】
【０００２】
従来、乳幼児をカメラで撮影して、等身大の写真を提供するサービスが知られている。例えば、特許文献１には、乳幼児の等身大写真を利用して、メモリアルブックを作成することが記載されている。このメモリアルブックは、被写体である乳幼児が等身大写真として提供されるため、月日が流れた後でも、メモリアルブックを開くことで、当時の思い出をリアルに思い出すことができるとされている。
【先行技術文献】
【特許文献】
【０００３】
【特許文献１】登録実用新案第３１８３９７２号公報
【発明の概要】
【発明が解決しようとする課題】
【０００４】
特許文献１に記載された手法では、写真を撮影する際に、乳幼児を単独で撮影する第１の工程に加え、スケール体なる特殊な器具を使用して、当該スケール体とともに乳幼児を撮影する第２の工程を経ることにより、等身大写真の印刷を可能としている。このように特許文献１の手法は、等身大写真を得るために少なくとも２回の撮影を必要とするが、特に、乳幼児は機嫌が変わりやすく、複数回の撮影に堪えるのは困難である。また、特許文献１の手法は、スケール体という特殊な器具を使用しない限り、等身大写真を得られないため、利便性の点でも改良の余地がある。
【０００５】
本発明のいくつかの態様は、斯かる実情に鑑みてなされたものであり、１回の撮影で等身大の写真を印刷可能な画像処理方法及び画像処理システムを提供しようとするものである。
【課題を解決するための手段】
【０００６】
本発明の所定の態様に係る画像処理方法は、乳幼児をフレームとともに撮影して画像データを取得することと、画像データから、フレーム画像を含む領域を切り出して、歪みを補正した補正画像データを生成することと、補正画像データを所定の倍率に変換して印刷を実行することとを含むことによって、乳幼児の等身大写真を印刷する。ここで、補正画像データに含まれるフレーム画像の形は、撮影したフレームの形と略同一である。
【０００７】
また、本発明の所定の態様に係る画像処理システムは、カメラデバイスと、画像処理手段と、出力制御手段と、印刷装置とを含む。カメラデバイスは、乳幼児をフレームとともに撮影して画像データを取得する。画像処理手段は、画像データから、フレーム画像を含む領域を切り出して、歪みを補正した補正画像データを生成する。ここで、補正画像データに含まれるフレーム画像の形は、フレームの形と略同一である。出力制御手段は、補正画像データを所定の倍率に変換して印刷を指示する。印刷装置は、乳幼児の等身大写真を印刷する。
【０００８】
なお、本発明において、「部」や「手段」、「装置」、「システム」とは、単に物理的手段を意味するものではなく、その「部」や「手段」、「装置」、「システム」が有する機能をソフトウェアによって実現する場合も含む。また、１つの「部」や「手段」、「装置」、「システム」が有する機能が２つ以上の物理的手段や装置により実現されても、２つ以上の「部」や「手段」、「装置」、「システム」の機能が１つの物理的手段や装置により実現されても良い。
【発明の効果】
【０００９】
本発明のいくつかの態様によれば、１回の撮影で等身大の写真を印刷可能な画像処理方法及び画像処理システムが提供され得る。
【図面の簡単な説明】
【００１０】
【図１】本発明の一実施形態に係る画像処理システム１の概略構成図である。
【図２】本実施形態における撮影態様の一例を示す図である。
【図３】カメラデバイス１０によって撮影された、画像データ２００の一例を示す図である。
【図４】切り出された領域の歪みを補正して整形する処理の一例を示す図である。
【図５】本実施例により印刷された等身大写真３００の一例を示す図である。
【発明を実施するための形態】
【００１１】
以下、本発明の実施の形態について図面を参照しつつ詳細に説明する。なお、同一の要素には同一の符号を付し、重複する説明を省略する。また、以下の実施の形態は、本発明を説明するための例示であり、本発明をその実施の形態のみに限定する趣旨ではない。さらに、本発明は、その要旨を逸脱しない限り、さまざまな変形が可能である。
【００１２】
図１は、本発明の一実施形態に係る画像処理システム１の概略構成図である。同図に示すとおり、本実施例において、画像処理システム１はカメラデバイス１０と、画像処理装置２０と、印刷装置３０とを含んで構成される。
【００１３】
カメラデバイス１０は、被写体１００を撮影して画像データを取得するための装置であり、例えば、デジタルカメラなどの撮像装置を適用することができる。本実施例では、被写体１００として、乳幼児をフレームとともに、カメラデバイス１０によって撮影して、乳幼児とフレームとが含まれる画像データが取得される。
【００１４】
画像処理装置２０は、カメラデバイス１０によって取得された画像データを受け取り、画像データに必要な処理を加えて、補正画像を生成する。そして、補正画像に基づいて、等身大の写真を印刷装置３０に印刷出力させるよう制御する。本実施例では、画像処理装置２０は、画像処理手段２２と、出力制御手段２４とを備える。
【００１５】
画像処理手段２２は、画像データに対して、必要な画像処理を実行して、補正画像を生成する。生成された補正画像データは、出力制御手段２４に渡される。画像処理手段２２は、具体的には、画像データの中から印刷しようとする領域を切り出す処理や、切り出された領域の歪みを補正して整形する処理などを行う。
【００１６】
出力制御手段２４は、補正画像データに基づいて、撮影した乳幼児の等身大の写真が印刷されるように、印刷装置３０に対して処理を指示する。具体的には、補正画像を所定の倍率で拡大ないし縮小して印刷するよう指示して、等身大の写真が印刷されるよう制御する。
【００１７】
なお、画像処理装置２０は、専用の画像処理装置の他、汎用のコンピュータを適用することができる。汎用のコンピュータによって画像処理装置２０を構成する場合、例えば、ＣＰＵ等のプロセッサが、揮発性または不揮発性の記憶装置などに記憶された所定のプログラムを実行することにより、画像処理手段２２及び出力制御手段２４としてコンピュータを機能させる。
【００１８】
印刷装置３０は、画像処理装置２０からの指示に従って、印刷処理を行うための装置である。本実施例では、印刷装置３０として、ポスター印刷可能なプリンタなど、乳幼児の等身大の写真を印刷できることを要する。
【００１９】
次に、本実施形態における画像処理方法について、図２〜図５を用いて、各処理工程ごとに説明する。
【００２０】
まず、撮影処理について説明する。
【００２１】
図２は、本実施形態における撮影態様の一例を示す図である。本実施例では、被写体１００として、フレーム１１０と乳幼児１２０を一緒に撮影する。フレーム１１０とは、例えば、額縁の枠が該当する。すなわち、乳幼児１２０よりも大きな額縁の枠を床面に置き、額縁の枠の内側に乳幼児１２０を寝かせて配置する。フレーム１１０の大きさとしては、例えば、外周がＡ１サイズ（５９４ｍｍ×８４１ｍｍ）程度のものを用いることができる。
【００２２】
このようにフレーム１１０内に乳幼児１２０を配置した上で、乳幼児１２０とフレーム１１０を含む被写体１００の写真を、カメラデバイス１０により撮影する。すなわち、乳幼児と一緒に本物の額縁を撮影する。
【００２３】
カメラデバイス１０は、三脚や天井に固定して、被写体１００を真俯瞰から撮影することが好ましいが、本実施例では、必ずしも真俯瞰から撮影される必要はない。真俯瞰から撮影すれば、被写体１００を撮影した画像データは歪みが少ないものとなる。真俯瞰から外れた位置から撮影すれば、その分、被写体１００を撮影した画像データに歪みが生じることになるが、本実施例では、画像処理装置２０により、画像データの歪みを補正することができる。
【００２４】
次に、画像データの補正処理について説明する。
【００２５】
図３は、カメラデバイス１０によって撮影された、画像データ２００の一例を示す図である。本実施例では、乳幼児１２０とフレーム１１０を一緒に撮影するため、同図に示すとおり、撮影された画像データ２００には、フレーム１１０の画像２１０と、乳幼児１２０の画像２２０が含まれる。なお、説明のため、図３は実際よりも画像の歪みを強調して図示していることに注意されたい。
【００２６】
カメラデバイス１０によって撮影された画像データ２００は、画像処理装置２０によって、補正処理が行われる。
【００２７】
補正処理としては、まず、画像データ２００の中から印刷しようとする領域を切り出す処理が行われる。本実施例では、画像データ２００の中からフレーム画像２１０を含む領域が切り出される。例えば、画像処理手段２２が、フレーム画像２１０の四隅２１１，２１２，２１３，２１４を抽出する。抽出処理は、公知の画像認識技術を適用して、フレーム画像２１０のエッジを検出して四隅を抽出する。また、画像処理装置２０を操作するオペレータが表示画面上で指示することによって四隅を抽出してもよい。こうして抽出された四隅２１１，２１２，２１３，２１４に基づいて、これらの点に囲まれた領域が切り出される。
【００２８】
図４は、切り出された領域の歪みを補正して整形する処理の一例を示す図である。図４（Ａ）は、切り出された画像データの一例である。同図に示すとおり、図３に示される画像データ２００の中から、フレーム画像２１０の四隅２１１，２１２，２１３，２１４で囲まれた領域が切り出されている。
【００２９】
図４（Ｂ）は、歪みを補正して得られた補正画像データの一例である。画像処理手段２２は、台形補正、線形補正、その他の画像処理技術を適用して、切り出された領域の歪みを補正して整形する。
【００３０】
ここで、補正画像データに含まれるフレーム画像の縦横比が、実際のフレーム１１０の縦横比と実質的に同一となるように調整される。例えば、フレーム１１０の外周がＡ１サイズであれば、補正画像データに含まれるフレーム画像の縦横比が１：１．４１４（＝ルート２）となるように補正される。本実施例のように、フレーム画像２１０の四隅によって囲まれた領域で画像が切り出されている（図４（Ａ））場合には、結局のところ、切り出された画像の縦横比が、実際のフレーム１１０の縦横比と実質的に同一となるように調整されることになる。
【００３１】
最後に、等身大写真の印刷処理について説明する。
【００３２】
上記のようにして得られた補正画像データに基づいて、出力制御手段２４は、乳幼児１２０の等身大の写真が印刷されるように、印刷装置３０に対して処理を指示する。このとき、出力制御手段２４は、補正画像データを印刷物として出力したときに、印刷物上に印刷されたフレームの画像が実寸となる倍率を求める。そして、補正画像データを求めた倍率に変換して印刷を実行する。
【００３３】
図５は、本実施例により印刷された等身大写真３００の一例を示す図である。フレームの画像が実寸で印刷されることに伴い、乳幼児の画像も実寸で印刷される。こうして、乳幼児１２０の等身大の写真を得られることになる。
【００３４】
以上のとおり、本実施形態によれば、乳幼児１２０をフレーム１１０とともに撮影することにより、１回の撮影で、乳幼児１２０の形及び大きさを保って印刷することができる。すなわち、画像データ２００に含まれるフレーム画像２１０の形及び大きさを、実物のフレーム１１０の形及び大きさと合わせるように調整することによって、カメラデバイス１０で撮影した画像データ２００の歪みを補正可能とし、かつ、乳幼児１２０の等身大の写真を印刷することができる。
【００３５】
また、乳幼児１２０を真俯瞰から撮ることができれば好ましいが、例えば幼児はなかなかじっとしていられないので、三脚や天井に固定したカメラデバイス１０を用いて撮影する場合、いつもカメラデバイス１０の真下に幼児がじっとしているとは限らない。本実施形態によれば、乳幼児１２０を真俯瞰から撮影できず、フレーム画像２１０が台形になっていたり、歪んでいた場合であっても、自動調整して歪みを補正することができる。
【００３６】
さらに、本実施形態では、乳幼児１２０をフレーム１１０と同時に撮影して印刷することによって、プリントされた印刷物は、額に収めていないのに額総されているような、だまし絵風の仕上がりの感覚を楽しむこともできる。
【００３７】
なお、本発明は、上記した実施の形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述の各処理工程は処理内容に矛盾を生じない範囲で任意に順番を変更ないし併合して又は並列に実行することができる。
【００３８】
例えば、本実施形態では、画像データ２００から所定の領域を切り出した後に歪みを補正した補正画像データを生成し、印刷時に所定の倍率に変換するものとしたが、これに限られず、フレーム１１０を含む形で撮影された画像データ２００に基づいて、最終的に、印刷物上に印刷されたフレームの画像が、実物のフレーム１１０の形及び大きさと略同一となるように画像データ２００の加工処理が行われるのであれば、任意の加工処理及び加工工程を経ることができる。
【００３９】
また、本実施形態では、乳幼児１２０をフレーム１１０とともに撮影するものとしたが、額縁などのような実体的なフレーム１１０を使わず、仮想的なフレーム（仮想フレーム）を用いてもよい。例えば、事前に４点を定めて仮想フレームの四隅とし、その中に乳幼児１２０が入るようにして撮影することができる。仮想フレームとしては、例えば、額縁に代わる仮想の４辺をテグスや棒で構成したり、ピンや糸などで角の４点を定めて額縁に代えたりすればよい。
【００４０】
さらに、フレーム（実体的なフレーム又は仮想フレーム）の形状は、長方形に限られず、例えば多角形や楕円など、任意の形状を用いることができる。撮影前または撮影後にフレームの形状及び大きさを確定し、撮影した画像データ２００のうちフレームが含まれる領域を、実際のフレームの形状及び大きさと略同一となるように加工して、印刷することにより、等身大写真を作成することができる。
【００４１】
また、フレームに換えて、又は、フレームに加えて、立体の英数字ブロックなどのオブジェクトを乳幼児１２０と一緒に撮影して、オブジェクトの実寸を基に、画像データの補正を行い、等身大写真を印刷するようにしてもよい。立体英数字ブロックを用いる場合には、これらを並べて、乳幼児の名前や生年月日、体重を作り、一緒に撮影、印刷することが可能となる。
【００４２】
さらに、本実施形態では、乳幼児１２０を被写体として撮影するものとしたが、被写体は乳幼児に限られず、子どもや大人、老人であってもよいし、人間に限られず、犬や猫などのペットや、その他の動物、植物、生物、物体等、任意のものをフレームと一緒に撮影することによって、実寸大の写真を得ることが可能である。
【符号の説明】
【００４３】
１     画像処理システム
１０   カメラデバイス
２０   画像処理装置
２２   画像処理手段
２４   出力制御手段
３０   印刷装置
１００ 被写体
１１０ フレーム
１２０ 乳幼児
２００ 画像データ
２１０ フレーム画像
３００ 等身大写真
【図１】
2016052105.tif 000003
【図２】
2016052105.tif 000004
【図３】
2016052105.tif 000005
【図４】
2016052105.tif 000006
【図５】
2016052105.tif 000007